(57)【要約】      （修正有）【課題】定時放送に用いられる音声信号を例えばＳＤカードに代表される音声データメモリーを用いて記録し、操作性を改良した自動放送装置を提供する。【解決手段】放送スケジュールの順番にしたがって放送開始時刻を指定する放送指定手段としての設定パネル１３と、設定パネル１３により指定された時刻の各々において放送する音声データが記述された音声データメモリー（ＳＤカード）１４と、計時手段から供給される現在時刻と設定パネル１３において指定された放送開始時刻とが一致した時に、ＳＤカード１４に記述されている音声データのうちの放送スケジュールの順番にしたがった次の未放送分に対応する音声データを読み出す制御手段（ＣＰＵボード）６と、読み出された音声データを復調して音声信号を得る音源ボード１５と、音源ボード１５によって得られた音声信号を増幅してスピーカ２５を駆動するパワーアンプ２４が備えられる。【選択図】図２
0003195634.tif 000002
【実用新案登録請求の範囲】
【請求項１】
放送スケジュールの順番にしたがって放送開始時刻を指定する放送指定手段と、前記放送指定手段により指定された時刻の各々において放送する音声データが記述された音声データメモリーと、計時手段から供給される現在時刻と前記放送指定手段において指定された放送開始時刻とが一致した時に、前記音声データメモリーに記述されている音声データのうちの放送スケジュールの順番にしたがった次の未放送分に対応する音声データを読み出す制御手段と、前記読み出された音声データを復調して音声信号を得るデコード手段と、前記デコード手段によって得られた音声信号を増幅してスピーカを駆動するパワーアンプを備えたことを特徴とする自動放送装置。
【請求項２】
前記制御手段には、風速計からの風速情報を示す信号が供給されるように構成され、前記風速計から予め定められた風速を超える信号を前記制御手段が受けた時、警報音を前記パワーアンプに供給し、前記スピーカより警報音を放送することを特徴とする請求項１に記載された自動放送装置。
【請求項３】
ワイヤレスマイクまたはワイヤードマイクからの音声信号の入力端子が備えられ、前記ワイヤレスマイクまたはワイヤードマイクからの音声信号が、前記パワーアンプに供給されて、前記スピーカより放送可能に構成されていることを特徴とする請求項１または請求項２に記載された自動放送装置。
【請求項４】
前記音声データメモリーに格納された各音声データに対応して、次に放送する音声信号の頭出し情報を書き込み可能な領域が設定され、前記頭出し情報の書き込みを手動操作で行うことができる調整パネルが配置されていることを特徴とする請求項１ないし３のいずれか１項に記載された自動放送装置。
【請求項５】
前記音声データメモリーから読み出されて復調された音声信号、前記風速計からの風速情報に基づく警報音、前記ワイヤレスマイクまたはワイヤードマイクからの音声信号は、それぞれミキサーアンプを介して重畳され、前記パワーアンプに供給されることを特徴とする請求項４に記載された自動放送装置。
【考案の詳細な説明】
【技術分野】
【０００１】
この考案は、例えば建築作業現場において、一日もしくは一週間のスケジュールにしたがって、朝礼への集合や、作業開始、休憩時間の到来、さらには就業の終了などのメッセイジを作業員に伝えるために定時放送を行う自動放送装置に関する。
【背景技術】
【０００２】
前記した建築作業現場などにおいては、施工工事の進捗状況に応じて複数の作業員が分散してそれぞれの作業にあたるため、所要箇所にそれぞれスピーカを設置して作業者の全員に対して、予め定められた時刻、もしくは適宜において情報伝達が行われる。
この複数のスピーカを利用した伝達情報には、前記した定時放送の他に、例えば現場の風速が予め定められた値を超える場合に出されるサイレンなどの警報音や、その他の緊急事態等を含む臨時の伝達事項を知らせるマイクロホンを利用した音声出力も含まれる。
【０００３】
前記した自動放送装置における特に定時放送については、従来より経過時刻に応じた一定の放送内容を予めテープレコーダに順に録音をしておき、定められた時刻毎に順に録音内容を再生してスピーカを利用して放送する手段が採られており、これは本件出願人が過去に出願した次に示す特許文献１にも開示されている。
【先行技術文献】
【特許文献】
【０００４】
【特許文献１】実開平４−５８８２３号公報
【考案の概要】
【考案が解決しようとする課題】
【０００５】
ところで、特許文献１に開示された自動放送装置においては、音声信号をテープ媒体を利用して順に録音をしておくものであるため、例えば停電が発生して定時放送がなされなかった場合には、以後の放送伝達事項の順番がくるうことになる。したがって、これを正常に戻すにはテープレコーダに対して、次の順番にしたがった頭出しの操作を行わなければならず、その操作が繁雑であるなどの問題を抱えている。
【０００６】
この考案は、従来の前記した自動放送装置の操作上の問題点に着目してなされたものであり、定時放送に用いられる音声信号を、例えばＳＤカードに代表される音声データメモリーを用いて記録する点に特徴を有する。
そして、例えば停電等が発生した場合には、前記音声データメモリーに格納された各音声データに対応して、次に放送する音声信号の頭出し情報を書き込み可能にする調整パネルを備えることで、その後の定時放送に対応した頭出しの操作を容易に行うことができる操作性を改良した自動放送装置を提供することを課題とするものである。
【課題を解決するための手段】
【０００７】
前記した課題を解決するためになされたこの考案に係る自動放送装置は、放送スケジュールの順番にしたがって放送開始時刻を指定する放送指定手段と、前記放送指定手段により指定された時刻の各々において放送する音声データが記述された音声データメモリーと、計時手段から供給される現在時刻と前記放送指定手段において指定された放送開始時刻とが一致した時に、前記音声データメモリーに記述されている音声データのうちの放送スケジュールの順番にしたがった次の未放送分に対応する音声データを読み出す制御手段と、前記読み出された音声データを復調して音声信号を得るデコード手段と、前記デコード手段によって得られた音声信号を増幅してスピーカを駆動するパワーアンプを備えたことを特徴とする。
【０００８】
この場合、前記制御手段には、好ましくは風速計からの風速情報を示す信号が供給されるように構成され、前記風速計から予め定められた風速を超える信号を前記制御手段が受けた時、警報音を前記パワーアンプに供給し、前記スピーカより警報音を放送する構成が好適に採用される。
【０００９】
これに加えて、ワイヤレスマイクまたはワイヤードマイクからの音声信号の入力端子が備えられ、前記ワイヤレスマイクまたはワイヤードマイクからの音声信号が、前記パワーアンプに供給されて、前記スピーカより放送可能に構成されることが望ましい。
【００１０】
また好ましい形態においては、前記音声データメモリーに格納された各音声データに対応して、次に放送する音声信号の頭出し情報を書き込み可能な領域が設定され、前記頭出し情報の書き込みを手動操作で行うことができる調整パネルが配置される。
【００１１】
そして、前記音声データメモリーから読み出されて復調された音声信号、前記風速計からの風速情報に基づく警報音、前記ワイヤレスマイクまたはワイヤードマイクからの音声信号は、それぞれミキサーアンプを介して重畳され、前記パワーアンプに供給されるように構成される。
【考案の効果】
【００１２】
前記した構成の自動放送装置によると、定時放送に用いられる音声信号は、例えばＳＤカードに代表される音声データメモリーを用いて記録される。
そして、放送指定手段により設定された放送開始時刻に対応して、前記音声データメモリーより音声データが順に読み出されるので、放送開始時刻ごとに定時放送を建築作業現場などに設置されたスピーカにより放送することができる。
【００１３】
また、音声データメモリーに格納された各音声データに対応して、次に放送する音声信号の頭出し情報を手動で書き込み可能な調整パネルが備えられているので、例えば停電等が発生して定時の放送がなし得なかった場合においても、停電の復旧後において次の放送時刻に対応した適正な放送を行うことが可能となる。
【図面の簡単な説明】
【００１４】
【図１】この考案に係る自動放送装置のフロントパネルの例を示した正面図である。
【図２】同じく自動放送装置を含む全体の回路構成を示したブロック図である。
【図３】音声データメモリーに格納された放送時刻と放送内容の例を示したフォーマット図である。
【考案を実施するための形態】
【００１５】
この考案に係る自動放送装置について、図に示す実施の形態に基づいて説明する。
図１は、この考案に係る自動放送装置のフロントパネルの例を示しており、また図２は自動放送装置を含む全体の回路構成をブロック図で示したものである。以下においては、図１および図２においてそれぞれ相当する部分に同一符号を付けて説明する。
【００１６】
図１に示す符号１は、電源表示灯を示しており、これは図１示す自動放送装置の背面パネルに配置されたサーキットブレーカ２をオン操作することにより点灯する。これにより、自動放送装置に設備電源（ＡＣ１００Ｖ）が供給されていることが表示される。
このサーキットブレーカ２のオン操作により、スイッチング電源３が動作して回路に動作電源が供給されると共に、自動放送装置の背面パネルに配置されたＡＣアウトレット４にも設備電源が給電される。これにより、ＡＣアウトレット４に接続されたワイヤレスマイクの受信機などの外部機器に対しても設備電源を供給することが可能となる。
【００１７】
自動放送装置の前記背面パネルには、建築作業現場などの適宜の場所に設置した風速計（例えば風杯型風速計）５からの情報を受ける接続端子が設けられており、この例においては、風速計５からは風速に応じたパルス信号がＣＰＵボードとしての制御回路６に供給されるように構成されている。
【００１８】
この制御回路６においては、前記風速計５から供給される単位時間あたりのパルス数をカウントし、これが予め定められた値以上である場合において、警報音を生成する音源ボード７に、トリガー信号が与えられるように構成されている。
そして、前記トリガー信号を受けて前記音源ボード７において生成される警報音は、警報音量ボリューム８を介してミキサーアンプ９に供給される。
【００１９】
また、自動放送装置の前記背面パネルには、音声信号の入力端子としてのマイクジャックが配置されており、このマイクジャックには、図示せぬワイヤレスマイクからのワイヤレス信号を受信して音声信号を再生するワイヤレス受信機からの信号、もしくはワイヤードマイク１１からの信号が直接入力される。
そして、ワイヤレスマイクもしくはワイヤードマイク１１からの音声信号は、マイク音量ボリューム１２を介して前記したミキサーアンプ９に供給される。
【００２０】
自動放送装置のフロントパネルには、ウィークリータイマーの設定パネル１３が配置されており、この設定パネル１３は一週間の放送スケジュールに対応した放送開始時刻を指定する放送指定手段を構成している。
そして、設定パネル１３で設定された放送スケジュールについての情報は、前記した制御回路６に供給される。この制御回路６は、当該制御回路６に搭載された計時手段から供給される現在時刻と、前記放送指定手段としての設定パネル１３において設定された放送開始時刻とが一致した時に、音声データメモリー（ＳＤカード）１４を搭載した音源ボード１５に指令信号を送出する。
【００２１】
この指令信号を受けた音源ボード１５は、前記音声データメモリー１４に記述されている音声データのうち、放送スケジュールの順番にしたがった次の未放送分に対応する音声データを読み出し、音源ボード１５に搭載された図示せぬデコード手段によって音声信号に復調する。そしてデコード手段によって復調された音声信号は、自動放送音量ボリューム１６を介して前記したミキサーアンプ９に供給される。
なお、ウィークリータイマーとしての前記設定パネル１３において設定される放送時刻と放送内容の関係については、図３に基づいて後で説明する。
【００２２】
自動放送装置のフロントパネルには、自照式のマイクスイッチ１７、自動放送スイッチ１８、警報音スイッチ１９がそれぞれ配置されている。
このうちマイクスイッチ１７は、前記したワイヤレスマイクもしくはワイヤードマイク１１からの音声信号を前記ミキサーアンプ９に供給するか否かを選定する機能を果たす。
また自動放送スイッチ１８は、前記音声データメモリー（ＳＤカード）１４を搭載した音源ボード１５からの音声信号を、定時放送として前記ミキサーアンプ９に供給するか否かを選定する機能を果たす。
さらに警報音スイッチ１９は、前記した風速計５からの情報に基づく音源ボード７からの警報音を前記ミキサーアンプ９に供給するか否かを選定する機能を果たす。
【００２３】
加えて、自動放送装置の前記フロントパネルには、調整パネル２０が配置されており、この調整パネル２０には、図２に示されているように放送指定スイッチ２０ａと、設定スイッチ２０ｂが備えられている。
この調整パネル２０は、例えば停電などにより定時放送がなされなかった場合において、停電の復旧後の次の定時放送において放送する音声信号の頭出し情報を、手動で着き込むことができるように構成されている。
なお調整パネル２０における前記頭出し動作の詳細については、図３に基づいて後で説明する。
【００２４】
一方、図１に示す自動放送装置のフロントパネルには、内蔵スピーカの音量ボリューム２１、外部スピーカの音量ボリューム２３が配置されている。前者の内蔵スピーカの音量ボリューム２１は、図２に示されているとおりミキサーアンプ９の出力レベルを調整し、自動放送装置の底部に配置された内蔵スピーカ（モニタースピーカ）２２の音量を調整するものである。したがって、この内蔵スピーカ２２により、定時放送や警報音をモニターすることができる。
【００２５】
また、後者の外部スピーカの音量ボリューム２１は、図２に示されているとおり、ミキサーアンプ９からパワーアンプ２４に加える信号レベルを調整するものである。このパワーアンプ２４の出力は、建築作業現場の適宜の箇所に設置された複数の外部スピーカ２５に対して駆動信号として供給される。これにより、定時放送や警報音、さらにはワイヤレスマイクもしくはワイヤードマイク１１からの音声信号がスピーカ２５によって放送される。
【００２６】
図３は、前記した音声データメモリー１４に格納された放送時刻と放送内容の例を示したフォーマット図である。
音声データメモリー１４には、リファレンス番号（Ｎｏ．０１，０２…）に対応して、図３に放送内容として例示したメッセイジを含む音声データがそれぞれ格納されている。  そして、自動放送を行うにあたっては、管理者は自動放送装置に配置された前記した設定パネル１３を利用して、前記リファレンス番号（Ｎｏ．）に対応したそれぞれの放送内容の放送開始時刻（図３においては放送時刻と標記している。）を入力する。
【００２７】
このリファレンス番号に対する放送開始時刻は、自動放送装置の制御回路６内に書き込まれても良く、前記音声データメモリー１４側に書き込まれても良い。
なお図３に示す例は一日の放送時刻を書き込んだ例を示しているが、この実施の形態に示すように、放送指定手段としての設定パネル１３が、ウィークリータイマーとして機能する場合には、少なくとも七曜で示す曜日と、放送時刻とを入力することになる。
【００２８】
また、この実施の形態においては、図３に示されているように、放送スケジュールの順番にしたがって定時放送がなされる度に、放送終了フラグ（＊印）が書き込まれるように構成されている。これにより、放送スケジュールの順番にしたがった次の未放送分を把握することができる。
なお、放送終了フラグ（＊印）が書き込まれる領域は、自動放送装置の制御回路６内であっても、前記音声データメモリー１４側であっても良い。
【００２９】
前記した放送スケジュールが設定されることで、制御回路６に搭載された計時手段から供給される現在時刻と、図３に示す放送開始時刻が一致した時に、前記音声データメモリーに記述されている音声データのうちの放送スケジュールの順番にしたがった次の未放送分に対応する音声データが読み出される。
そして、データメモリー１４から読み出された音声データは、前記したとおり音源ボード１５に搭載された図示せぬデコード手段によって音声信号に復調され、スピーカ２５によって放送される。
【００３０】
一方、前記した自動放送装置の利用中において、停電などが発生して定時放送が行われない場合も発生する。この場合には、停電の復旧後の次の定時放送の放送開始時刻において、放送スケジュールの順番にしたがった次の未放送分が放送されるという不具合が発生する。
【００３１】
すなわち図３には、前記した不具合の発生する様子が示されており、リファレンスＮｏ．０３までは、放送スケジュールに沿って正常に放送されたことを示している。そしてリファレンスＮｏ．０４の定時放送の時には停電等により放送がなされず、リファレンスＮｏ．０５の定時放送の時には停電が復旧していたとすれば、この時には破線の矢印で示したように、リファレンスＮｏ．０４に対応する放送内容が放送されることになる。
【００３２】
そこで、この実施の形態においては、停電などにより定時放送が行われなかった場合には、自動放送装置のフロントパネルに配置された調整パネル２０を利用して、次に放送する放送内容の頭出しを行う操作が行われる。この場合、調整パネル２０に配置された放送指定スイッチ２０ａと、設定スイッチ２０ｂが利用される。
【００３３】
そして、次の定時放送に放送しようとするリファレンス番号（Ｎｏ．０５）を放送指定スイッチ２０ａを用いて呼び出し、この状態で前記設定スイッチ２０ｂを操作することにより、定時放送が行われなかったリファレンス番号（Ｎｏ．０４）に、放送終了フラグが手動により強制的に書き込まれるように作用する。
これにより次の定時放送においては、Ｎｏ．０５のリファレンス番号に対応した正常な定時放送がなされるように制御される。
【００３４】
以上説明したとおり、この考案に係る自動放送装置によると、予め設定された放送開始時刻ごとに、それぞれの時刻に対応した定時放送が、建築作業現場などに設置されたスピーカによって放送することができる。
そして停電等が発生し、定時の放送がなし得なかった場合には、調整パネル２０を利用して、次に放送する音声信号の頭出し情報を強制的に書き込むことができる。したがって、停電の復旧後においては次の放送時刻に対応した適正な放送を行うことが可能であるなど、前記した考案の効果の欄に記載したとおりの作用効果を得ることができる。
【符号の説明】
【００３５】
１      電源表示灯
２      サーキットブレーカ
３      スイッチング電源
４      ＡＣアウトレット
５      風速計
６      制御回路（ＣＰＵボード）
７      音源ボード
８      警報音量ボリューム
９      ミキサーアンプ
１１    マイク
１２    マイク音量ボリューム
１３    設定パネル（放送指定手段）
１４    音声データメモリー（ＳＤカード）
１５    音源ボード（デコード手段）
１６    自動放送音量ボリューム
１７    マイクスイッチ
１８    自動放送スイッチ
１９    警報音スイッチ
２０    調整パネル
２０ａ  放送指定スイッチ
２０ｂ  設定スイッチ
【図１】
0003195634.tif 000003
【図２】
0003195634.tif 000004
【図３】
0003195634.tif 000005